(57)【要約】【課題】オーディオラックに載置されるオーディオ機器の不要振動をより確実且つ効果的に抑え、オーディオ再生に悪影響を及ぼすことを防止できる制振装置を提供せんとする。【解決手段】オーディオラック９に載置されるオーディオ機器８の筐体８０の天板８１又は側板と、前記天板８１又は側板に対面するオーディオラック９の上方又は側方の棚板９１との隙間に設置され、天板８1に当接するように長手方向一端側に設けられる第１の当接部１１と、棚板９１に当接するように長手方向他端側に設けられる第２の当接部１２と、これら第１の当接部１１及び第２の当接部１２の間に設けられ、第１の当接部１１及び第２の当接部１２をそれぞれ筐体８０又は棚板９１に当接した状態に保持する支持本体部１３とより構成した。【選択図】図３
2017102991.tif 000002
【特許請求の範囲】
【請求項１】
オーディオ機器の筐体の天板又は側板と、該オーディオ機器が載置されるオーディオラックの前記天板又は側板に対面する上方又は側方の棚板との隙間に設置される制振装置であって、
前記天板又は側板に当接するように長手方向一端側に設けられる第１の当接部と、
前記上方又は側方の棚板に当接するように長手方向他端側に設けられる第２の当接部と、
前記第１の当接部及び前記第２の当接部の間に設けられ、これら第１の当接部及び第２の当接部をそれぞれ前記筐体又は棚板に当接した状態に保持する支持本体部と、
よりなることを特徴とする制振装置。
【請求項２】
前記支持本体部が、前記第１の当接部及び第２の当接部の双方の当接部間の距離を調整可能に保持する請求項１記載の制振装置。
【請求項３】
前記第１の当接部、前記第２の当接部及び前記支持本体部のうち、少なくとも１つにインシュレータを設けてなる請求項１又は２記載の制振装置。
【請求項４】
前記第１の当接部又は第２の当接部を点で当接するスパイクより構成し、該スパイクを前記インシュレータとしてなる請求項３記載の制振装置。
【請求項５】
前記第１の当接部又は第２の当接部を、当接面及びこれと反対側にスパイク受け面を有するスパイク受けより構成し、該スパイク受けとこれに点接触する支持本体側のスパイクとを前記インシュレータとした請求項３記載の制振装置。
【請求項６】
前記第１の当接部又は第２の当接部の当接面に軟質シートを設け、該軟質シートを前記インシュレータとした請求項３〜５の何れか１項に記載の制振装置。
【請求項７】
前記第１の当接部及び第２の当接部の少なくとも一方を構成する部材の当接面と反対側の面にネジ孔を設け、前記支持本体部が、前記ネジ孔に螺合する雄ネジ部を有する支柱より構成される請求項２〜６の何れか１項に記載の制振装置。
【発明の詳細な説明】
【技術分野】
【０００１】
本発明は、オーディオ再生に有害な不要振動を抑えることのできる制振装置に関する。
【背景技術】
【０００２】
この種の制振装置としては、従来、オーディオスピーカやプレイヤー、アンプなどのオーディオ機器の底面と、これが載置される床板やオーディオラックの棚板との間に、ゴムやスプリング、木片、スパイクなどのインシュレータを制振装置として介装し、オーディオ機器の不要な振動を吸収するとともに振動の伝播も抑制ないし遮断し、床面や棚板を通じて他の機器へ悪影響を及ぼしたり他の機器から振動を受けて共振することを防止することが提案されている（例えば、特許文献１参照。）。
【０００３】
しかしながら、特にオーディオ機器は、放熱性を維持するために薄い金属製の筐体で覆われており、この筐体に生じる振動を上記した従来の制振装置で十分に吸収することはできず、他の機器との間の振動の伝播についても十分に防止できるものではなかった。
【０００４】
さらに、通常、オーディオラックのオーディオ機器が載置される棚板（横板）は、オーディオ機器を前方からボタン操作したり後方にケーブルを延ばして他の機器と接続したりする関係上、左右の棚板（側板）又は四隅のポールでのみ支持された振動しやすい構造であり、載置しているオーディオ機器またはラック内の他の機器からの振動を受けやすい。また、棚板の下面はラック外のスピーカからの音圧による影響も受けやすく、このような棚板とこれに載置されるオーディオ機器との間の振動の伝播を従来からの制振装置で抑制ないし遮断するには一定の限界があった。
【先行技術文献】
【特許文献】
【０００５】
【特許文献１】特開２０００−２３２７２号公報
【発明の概要】
【発明が解決しようとする課題】
【０００６】
そこで、本発明が前述の状況に鑑み、解決しようとするところは、オーディオラックに載置されるオーディオ機器の不要振動をより確実且つ効果的に抑え、オーディオ再生に悪影響を及ぼすことを防止できる制振装置を提供する点にある。
【課題を解決するための手段】
【０００７】
すなわち本発明は、オーディオ機器の筐体の天板又は側板と、該オーディオ機器が載置されるオーディオラックの前記天板又は側板に対面する上方又は側方の棚板との隙間に設置される制振装置であって、前記天板又は側板に当接するように長手方向一端側に設けられる第１の当接部と、前記上方又は側方の棚板に当接するように長手方向他端側に設けられる第２の当接部と、前記第１の当接部及び前記第２の当接部の間に設けられ、これら第１の当接部及び第２の当接部をそれぞれ前記筐体又は棚板に当接した状態に保持する支持本体部とよりなることを特徴とする制振装置を構成した。
【０００８】
ここで、前記支持本体部が、前記第１の当接部及び第２の当接部の双方の当接部間の距離を調整可能に保持するものが好ましい。
【０００９】
また、前記第１の当接部、前記第２の当接部及び前記支持本体部のうち少なくとも１つにインシュレータを設けたものが好ましい。インシュレータ自体は、スピーカなどの底面と床板との間に従来から用いられている振動を吸収、伝達抑制、あるいは遮断するための公知の構造を広く採用できる。
【００１０】
特に、前記第１の当接部又は第２の当接部を、点で当接するスパイクより構成し、該スパイクを前記インシュレータとしたものが好ましい。
【００１１】
また、前記第１の当接部又は第２の当接部を、当接面及びこれと反対側にスパイク受け面を有するスパイク受けより構成し、該スパイク受けとこれに点接触する支持本体側のスパイクとを前記インシュレータとしたものも好ましい。
【００１２】
また、前記第１の当接部又は第２の当接部の当接面に軟質シートを設け、該軟質シートを前記インシュレータとしたものが好ましい。
【００１３】
さらに、前記第１の当接部及び第２の当接部の少なくとも一方を構成する部材の当接面と反対側の面にネジ孔を設け、前記支持本体部が、前記ネジ孔に螺合する雄ネジ部を有する支柱より構成されるものが好ましい。
【発明の効果】
【００１４】
以上にしてなる本願発明に係る制振装置によれば、第１の当接部、第２の当接部及び支持本体部を通じて、オーディオ機器の筐体の天板又は側板と、これに対面する上方又は側方のオーディオラックの棚板とが連結一体化され、本来振動しやすい筐体の不要振動の発生が抑えられると同時に、オーディオラック自体がオーディオ機器及び本制振装置を介して構造的に補強されるため、本来振動の影響を受けやすい棚板が安定化し、載置しているオーディオ機器やラック内の他の機器、ラック外のスピーカなどからの振動や音圧の影響が低減し、載置されているオーディオ機器が不要な振動を受けることも低減する。そして、本制振装置によって低減される、これらオーディオ機器自体から発する筐体の振動とオーディオ機器が棚板を通じて他から受ける振動とは、互いに異なる振動モードをもっており、本制振装置を通じてこれら低減された振動同士も互いに打ち消し合い、より高い制振効果を実現し、オーディオ機器本来の性能を発揮し、ハイレスポンスで透明感が高く、ストレートな音楽表現、さらに優れた音像定位と音場感を得ることができる。
【００１５】
また、前記支持本体部が、前記第１の当接部及び第２の当接部の双方の当接部間の距離を調整可能に保持するので、本制振装置を設置するオーディオ機器の筐体とオーディオラックの棚板との間の隙間サイズの違いに対応できるとともに、前記第１の当接部及び第２の当接部の前記筐体又は棚板に対する当接状態、すなわち圧着力を変更し、筐体や棚板の強度を考慮しつつ制振効果が得られるように調整することができる。
【００１６】
また、前記第１の当接部、前記第２の当接部及び前記支持本体部のうち、少なくとも１つにインシュレータを設けてなるので、本制振装置を通じて連結されるオーディオ機器の筐体と棚板との間の不要な振動の受け渡しを抑制ないし遮断し、より高い制振効果が得られ、上記したオーディオ機器本来の性能をより確実に発揮させることができる。
【００１７】
また、前記第１の当接部又は第２の当接部を点で当接するスパイクより構成し、該スパイクを前記インシュレータとしてなるので、上記振動の抑制ないし遮断をより確実なものとすることができる。
【００１８】
また、前記第１の当接部又は第２の当接部を、当接面及びこれと反対側にスパイク受け面を有するスパイク受けより構成し、該スパイク受けとこれに点接触する支持本体側のスパイクとを前記インシュレータとしたので、先尖なスパイクによってオーディオ機器の筐体や棚板が損傷すること防止しつつ、支持本体部により第１の当接部と第２の当接部の間の距離を広げて第１の当接部と筐体との密着力、第２の当接部と棚板との密着力を高め、強固な連結状態を実現して筐体や棚板をより安定化させ、上記制振効果をより高めることが可能となる。
【００１９】
また、前記第１の当接部又は第２の当接部の当接面に軟質シートを設け、該軟質シートを前記インシュレータとしたので、簡易で低コストな構造でオーディオ機器の筐体と棚板との間の不要な振動の受け渡しを抑制ないし遮断でき、上記したオーディオ機器本来の性能を発揮させることができるとともに、オーディオ機器の筐体や棚板の破損も防止できる。
【００２０】
また、前記第１の当接部及び第２の当接部の少なくとも一方を構成する部材の当接面と反対側の面にネジ孔を設け、前記支持本体部が、前記ネジ孔に螺合する雄ネジ部を有する支柱より構成されるので、簡易で低コストな構造で支持強度と距離調整機能を有する本発明の制振装置を実現できる。
【図面の簡単な説明】
【００２１】
【図１】本発明の第１実施形態に係る制振装置を示す正面図。
【図２】同じく制振装置を示す分解斜視図。
【図３】同じく制振装置をオーディオ機器の筐体天板とこれに対面する棚板下面との間に用いた使用状態を示す説明図。
【図４】同じく制振装置の変形例を示す説明図。
【図５】本発明の第２実施形態に係る制振装置を示す説明図。
【図６】（ａ）,（ｂ）は同じく制振装置のスパイク受けを示す説明図。
【発明を実施するための形態】
【００２２】
次に、本発明の実施形態を添付図面に基づき詳細に説明する。
【００２３】
本発明の制振装置１は、図３に示すように、オーディオラック９に載置されるオーディオ機器８の筐体８０の天板８１又は側板と、前記天板８１又は側板に対面するオーディオラック９の上方又は側方の棚板９１との隙間に設置され、これら筐体天板又は側板とオーディオラックの棚板とを連結一体化し、オーディオ機器８自体による筐体８０の不要振動の発生を抑えるとともに、オーディオラック９を構造的に補強して棚板９０、９１を安定化させ、オーディオ機器８が棚板９０、９１を通じて不要な振動を受けることも低減させるものである。
【００２４】
なお、オーディオ機器８は、一般にオーディオラックに載置される各種プレーヤーやコントロールアンプ、パワーアンプ、Ｄ／Ａコンバータ、スピーカなど公知のオーディオ機器に本発明の制振装置を広く適用できる。また、オーディオラック９についても、本例では棚板９０（横板（底板））と棚板９１（横板（天板））とが四隅のポール９２で連結された構造であるが、このようなものに何ら限定されず、さらに複数の横板を設けたものや、ポールの代わりに左右に棚板（側板）を設けたものなど、従来から公知の種々のオーディオラックに本発明の制振装置を広く適用できる。
【００２５】
まず、図１〜図４に基づき、本発明の第１実施形態を説明する。
【００２６】
第１実施形態に係る制振装置１は、図１及び図２に示すように、長手方向一端側に設けられる第１の当接部１１と、他端側に設けられる第２の当接部１２と、これら第１の当接部１１及び前記第２の当接部１２の間に設けられ、双方の当接部１１、１２間の距離を調整可能に保持する支持本体部１３とより構成されている。
【００２７】
第１の当接部１１は、前記長手方向を軸方向とする円柱部材２より構成されており、第２の当接部１２に対向する側（図では上側）の面２０の中央部に開口する有底又は貫通の雌ネジ孔１１ａが軸方向に沿って形成されている。第１の当接部１１を構成する当該円柱部材の素材は、振動吸収の観点や支持強度の観点から、比較的柔らかいが剛性を有する素材、たとえば真鍮などが好適であるが、これに限定されず、その他の金属や他の素材、例えば硬質樹脂や木材、セラミックス、炭素繊維強化プラスチック（ＣＦＲＰ）、これらの組み合わせなど、種々の素材を適宜選択できる。
【００２８】
円柱部材２のオーディオ機器の筐体に当接する側（図では下側）の面２１には、さらにインシュレータ３が設けられている。インシュレータ３は、両面テープなどで当該面２１に接着される軟質シート３０であり、例えばフェルトなどの布、厚紙、ゴム、エラストマ、軟質樹脂などの各種シートを採用でき、インシュレータとして公知のシートを広く採用できる。本例ではオーディオ機器の筐体面に圧着されるため、該筐体面を保護する機能も有する。
【００２９】
なお、第１の当接部１１に設けるインシュレータは、本例のように軟質シート３０以外に、スパイクやコイルスプリングなど、公知のインシュレータを広く採用できる。また、インシュレータは必須ではなく省略することも勿論できる。
【００３０】
第２の当接部１２は、前記長手方向を軸方向とする円柱状の本体４０と、同軸に円錐状に延びる先尖のスパイク部４１とが一体的に形成された当接部材４より構成されている。この当接部材４には、第１の当接部１１に対向する側（図では下側）の本体４０の面４２の中央部に開口する有底の雌ネジ孔１２ａが軸方向に沿って形成されている。
【００３１】
このように本例の第２の当接部１２は、スパイク部４１からなるインシュレータ５が設けられている。ただし、第２の当接部１２に設けるインシュレータ５は、本例のようにスパイク部４１以外に、上記軟質シートやコイルスプリングなど、公知のインシュレータを広く採用できる。また、第１の当接部１１と同様、インシュレータは必須ではなく省略、例えば本例では当接部材４からスパイク部４１の先尖の形状をなくし、単なる円柱部材とすることも勿論できる。
【００３２】
第２の当接部１２を構成する当該当接部材４の素材は、上述の第１の当接部１１の円柱部材２と同様、振動吸収の観点や支持強度の観点から、比較的柔らかいが剛性を有する素材、たとえば真鍮などが好適である。ただし、これに限定されず、その他の金属や他の素材、例えば硬質樹脂や木材、セラミックス、炭素繊維強化プラスチック（ＣＦＲＰ）、これらの組み合わせなど、種々の素材を適宜選択できる。スパイク部４１を設ける本例の場合は、金属製が好ましい。
【００３３】
支持本体部１３は、図２にも示すように、上記した第１の当接部１１の雌ネジ孔１１ａ、第２の当接部１２の雌ネジ孔１２ａにそれぞれ螺合する雄ネジ部６１ａ、６２ａが長手方向両端部に設けられた支柱６より構成されている。したがって、例えば第２の当接部１２を当該支柱６に対して相対回転させることにより第２の当接部１２と第１の当接部１１の間の距離が支柱６を介して調整される。オーディオ装置筐体の上面又は側面とこれに対面するオーディオラックの棚板との間の隙間は種々ありえるので、図２に示すように支持本体部１３を構成する支柱６は複数の長さのものを準備しておくことが好ましい。
【００３４】
第１の当接部１１を支柱６に対して相対回転させることで同様に距離調整できるが、スパイク部４１によって棚板に点接触する第２の当接部１２を回転させることで、位置がずれてしまうことなく安定かつ容易に回転させることができる。いずれか一方のみ回転操作可能に螺合し、他方は接着剤等で硬く固定してしまってもよい。例えば本例では、第１の当接部１１に硬く固定して、第２の当接部１２側を回転させて調整するように構成してもよい。
【００３５】
また、本例では軸方向全長にネジ山が形成されているが、端部の所定範囲のみに形成して同じく調整可能に螺合させることもできる。また、この場合、両端部の所定範囲に互いに逆ネジの関係にあるネジ山を形成するとともに、第１の当接部、第２の当接部にもそれぞれ各ネジ山に螺合する同じく互いに逆ネジの関係にある雌ネジ溝を形成し、このような支持本体部のネジ山の形成されない中央部を回転させることで第１の当接部と第２の当接部の間の距離を調整可能とするものも好ましい。このような例は、双方にスパイク部がなくそれぞれ筐体や棚板に面接触するような当接部とする場合に好ましい。
【００３６】
さらに、両端をそれぞれネジ山で第１の当接部１１、第２の当接部１２に螺合する代わりに、一端側はネジ山ではなく相手側と相対回転不能に固定または係止される構造とし、他方側でのみネジ山を螺合して相対回転させるように構成することもできる。例えば、第１の当接部１１側の端部をネジ山のない丸棒形状とし、第１の当接部１１には雌ネジ孔１１ａの代わりに丸孔を形成し、前記端部をこれに圧入するような構成でもよい。
【００３７】
また、一端側は相対回転可能に遊嵌する構造とし、他方側でのみネジ山を螺合して相対回転させるように構成することもできる。この場合、他方側の第１の当接部又は第２の当接部を相対回転させる際に支持本体部が回転してしまわないように係止する手段を設ければよい。また、支持本体部１３の一部にインシュレータを設けたものも好ましい。例えば、支柱６を分割構成し、間にコイルスプリングを内装した筒体を介装したり、間にゴムや軟質樹脂の弾性部材を介装し、軸方向長さが伸縮できるように構成することなどが可能である。
【００３８】
支持本体部１３の素材はステンレス等の金属製が好ましいが、合成樹脂など他の素材でも可能である。また、本実施形態では支持本体部１３により第１の当接部１１と第２の当接部１２との間の距離を調整可能に支持しているが、例えばコイルスプリングなどの弾性部材で構成し、調整の機構は特に有さない構造としてもよい。
【００３９】
また、本例の支持本体部１３は、第１の当接部１１の円柱部材２や第２の当接部１２の当接部材４とは別体の支柱６で構成されているが、図４に示すように第１の当接部１１から軸方向に一体的に延設され、外周面に雄ネジ部２１ａが形成された棒状部２１と、第２の当接部１２から軸方向に一体的に延設され、内周面に前記ネジ山に螺合する雌ネジ部４３ａが形成された筒状部４３とより構成することもできる。これによれば、全体を２部材で構成することができる。
【００４０】
尚、本実施形態では棚板に当接する第２の当接部１２にスパイク部４１を設けたが、第２の当接部１２ではなく第１の当接部１１にオーディオ機器筐体に当接する同様のスパイク部を設けることや、双方の当接部１１、１２に同様のスパイク部を設けること、さらにはスパイク部を無くすることもできる。
【００４１】
また、当接部材４を省略し、支柱６の先端を第２の当接部とすることもできる。円柱部材２についても同様である。この場合、第１又は第２の当接部としての支柱６の先端をフラットにしてもよいし、先尖に構成すれば、スパイク部とすることができる。この場合、支柱６に回転操作できる操作部を設けることが好ましい。
【００４２】
次に、図５及び図６に基づき、本発明の第２実施形態を説明する。
【００４３】
本実施形態の制振装置１Ａは、図５に示すように、第１の当接部１１が、当接面７０及びこれと反対側にスパイク受け面７１を有するスパイク受け７より構成され、支持本体部１３側に、前記スパイク受け面７１に受け入れられて点接触するスパイク６３が設けられている。また、第２の当接部１２はスパイク部が省略され、円柱部材２と当接面に介装されるインシュレータ５としての軟質シート３０とより構成されている。
【００４４】
すなわち、本例では第２の当接部１２のスパイク部を省略し、第１の当接部１１及び支持本体部１３にそれぞれインシュレータ３Ａとしてのスパイク受け７及びスパイク６３が設けられている。オーディオ機器の筐体の天板などは強度が低いのでスパイクで直接点接触させると損傷が生じやすく、圧着力を高めることができないが、本例のようにスパイク受け７を当接部材とすることで損傷を防止しつつ圧着力を高めることができ、インシュレータ３Ａとしての機能も付与することができるのである。スパイク受け７の当接面には、好ましくはインシュレータ３Ｂとしての軟質シートが介装される。
【００４５】
スパイク６３は、第１実施形態と同様の雄ネジ部６１ａ，６２ａが少なくとも両端部に形成された支柱６の当該雄ネジ部６１ａに螺合されており、その構造は、第１実施形態の当接部材４と同様、前記雄ネジ部６１ａが螺合される有底の雌ネジ孔が軸方向に沿って形成される円柱状の本体４０と先尖のスパイク部４１とより構成されている。
【００４６】
図面からも分かるように、本実施形態の制振装置１Ａは、上述の第１実施形態の制振装置１の第１の当接部と第２の当接部の構成を逆にし、オーディオ機器の筐体に当接する第１の当接部１１に近い側の支持本体部１３にスパイク６３を設け、第１の当接部１１自体はこのスパイク６３を受けるスパイク受け７としたものである。本実施形態においても、スパイク６３を省略し、支持本体部１３を構成している支柱６の端部を先尖のスパイクとして構成しることもでき、その他、支持本体部１３の途中部に弾性部材を介在させたりしてインシュレータとして機能させるなど、上記第１実施形態で説明したことと同様の変形例が可能である。
【００４７】
また、第２の当接部１２に第１実施形態と同様のスパイク部を設けることや、本実施形態の第１の当接部１１と第２の当接部１２の構成を逆にし、棚板に当接する第２の当接部に近い側の支持本体部に同様のスパイクを設け、第２の当接部自体をこのスパイクを受けるスパイク受けとしたものでもよい。その他、基本的な構成は上記第１実施形態と同じであり、同一構造については同一符号を付してその説明は省略する。
【００４８】
以上、本発明の実施形態について説明したが、本発明はこうした実施例に何ら限定されるものではなく、本発明の要旨を逸脱しない範囲において種々なる形態で実施し得ることは勿論である。
【符号の説明】
【００４９】
１  制振装置
１Ａ  制振装置
２  円柱部材
３，３Ａ  インシュレータ
４  当接部材
５  インシュレータ
６  支柱
８  オーディオ機器
９  オーディオラック
１１  第１の当接部
１１ａ  雌ネジ孔
１２  第２の当接部
１２ａ  雌ネジ孔
１３  支持本体部
２０  面
２１  面
２１  棒状部
２１ａ  雄ネジ部
３０  軟質シート
４０  本体
４１  スパイク部
４２  面
４３  筒状部
４３ａ  雌ネジ部
６１ａ，６２ａ  雄ネジ部
６３  スパイク
７０  当接面
７１  スパイク受け面
８０  筐体
８１  天板
９０  棚板
９１  棚板
９２  ポール
【図１】
2017102991.tif 000003
【図２】
2017102991.tif 000004
【図３】
2017102991.tif 000005
【図４】
2017102991.tif 000006
【図５】
2017102991.tif 000007
【図６】
2017102991.tif 000008